(57)【特許請求の範囲】
【請求項１】
入力されたアナログビデオ信号をデジタルビデオ信号に変換するＡ／Ｄコンバーターと、
前記デジタルビデオ信号からコピーガード情報を検出するコピーガードデコーダーと、
前記デジタルビデオ信号からＰＬＬの同期外れ判定を行うシンクプロセッサーと、
前記コピーガード情報が検出された場合、前記デジタルビデオ信号にコピーガード信号を付与するビデオデコーダー／フォーマッターと、
前記同期外れ判定結果から弱電界か否かを判定し、弱電界と判定した場合、前記コピーガード情報を無効とする弱電界判定手段と、
を備えるコピーガード情報検出機能付き映像処理回路。
【請求項２】
前記弱電界判定手段は、前記同期外れ判定が所定時間以内に所定回数外れた場合、弱電界と判定することを特徴とする請求項１記載のコピーガード情報検出機能付き映像処理回路。
【請求項３】
ＲＦ信号からアナログビデオ信号を受信するアナログチューナーをさらに備え、
前記弱電界判定手段は、前記受信したアナログビデオ信号のＡＧＣ電圧を検出し、前記ＡＧＣ電圧の検出結果に基づき、弱電界か否かを判定し、弱電界ではないと判定した場合、前記同期外れ判定からの弱電界判定を行わない
ことを特徴とする請求項１記載のコピーガード情報検出機能付き映像処理回路。
【発明の詳細な説明】
【０００１】
【発明の属する技術分野】
本発明は、チューナー等から入力された弱電界での映像信号から、アナログやデジタル出力映像信号を生成し、いずれの映像信号に対しても複製防止のための映像信号修飾を行うよう構成したディジタル映像装置に関するものである。
【０００２】
【従来の技術】
この種の機能を持った機器としては、特許第３０７２６９９号などに記載されたものが知られている。これは、ＤＶＤプレーヤーやデジタル放送受信機（以下ＳＴＢ）やデジタルビデオカメラ（以下ＤＶＣ）に考えられた発明である。この機器は入力信号がデジタルであり、ＤＶＤプレーヤーやＳＴＢ では、ＭＰＥＧ２のトランスポートストリームのヘッダ内にＣＧＭＳと言うコピー世代管理情報やＡＰＳと呼ばれるマクロビジョン方式（後述）等のアナログコピープロテクション情報（以降これらをまとめてコピーガード信号と呼ぶ）が挿入できるフォーマットになっている。また、ＤＶＣでもＤＶビデオフォーマット内にこれらの情報が挿入できるようになっている。これらの機器は、これらデジタル信号からコピーガード情報を読み、出力信号形態にあわせて、各種のコピーガード信号を付加することが出来る。例えば、アナログ出力には、映像ソフトの著作権保護の観点から、マクロビジョン社の映像信号修飾方法（米国特許公報第４６３１６０３号，第４５７７２１６号，第４８１９０９８号）等による複製防止の信号を付加し、コピー世代管理情報のＣＧＭＳ信号を付加する構成となっている。
【０００３】
以下、従来の技術について図３に基づいて説明する。
【０００４】
図３は従来の技術のコピーガード信号検出機能付き映像処理回路である。これは上記で説明した機器にアナログビデオ信号を受信できるアナログチュナーとアナログビデオ信号をデジタル信号に変換する回路を追加し、ビデオ出力が出来るようにした機器である。
【０００５】
一実施例として、テレビのＲＦ信号からアナログビデオ信号を受信するアナログチューナー５０１と、アナログビデオ信号を選択するビデオスイッチ５０２と、アナログビデオ信号をアナログからデジタル値に変換するＡ／Ｄコンバーター５０３と、ＮＴＳＣやＰＡＬの信号を色差信号やＲＧＢ信号にデコードするクロマデコーダー５０４と、コピーガード信号を検出するコピーガードデコーダー５０５と、垂直、インターレス、水平、クロマなどの信号をそれぞれＰＬＬ回路で同期を取るシンクプロセッサー５０６と、デジタルビデオ信号からコピーガード情報に基づいて映像信号を出力するビデオデコーダー／フォーマッター５０９から構成される。
【０００６】
従来の技術と異なる点は、ＰＬＬ同期処理回路で得られる次の各種同期判定信号、インターレス、垂直、水平、クロマの各種同期判定信号を得るシステムとする。これらの同期信号の判定が外れていないかを常にマイコン等で監視し、これらの信号が、ある一定時間において一定回数外れた場合、コピーガード信号の検出結果を無効と判定し、コピーガード信号の付加を禁止できる手段を具備したことであることを特徴とするものである。
【０００７】
【発明が解決しようとする課題】
しかしながら、この従来の技術であるコピーガード信号検出機能付き映像処理回路は、ＤＶＤプレーヤー等アナログビデオ信号からコピーガード信号の有無を検出する手段を持っていない機器に使用されていたものである。従来の回路は、アナログビデオ信号入力に対応していないので、当然アナログチュナーの信号も受信できずTV放送の弱電界信号を受信する事は想定していない構成である。アナログビデオ信号から、コピーガード信号の有無を検出する場合、アナログ信号からその情報を抜き取るが、アナログ放送受信時には弱電界での受信も考慮する必要があり、弱電界下でノイズが混入したビデオ信号の受信では、そのコピーガード信号検出が正しく動作出来ない限界点が存在する。例えばこのコピーガード信号検出機能付き映像処理回路を地上波アナログ放送の受信機能を設けたＳＴＢへ用いた場合、アナログ放送での弱電界信号を受信するとある弱電界点でコピーガード信号検出が誤動作する状態に陥る。アナログのコピーガード信号は代表的な物に  マクロビジョン方式があり、その実際の信号内容は、垂直帰線期間に重畳されるＡＧＣパルスや、数サイクル間クロマバーストの位相反転させているクロマストライプがある。これらのコピーガード信号検出をする方法には多々あるが、例えばＡＧＣパルスの立ちあがり、立下りエッジの回数や電圧レベル等も利用して判定する回路や、バースト信号の同期状態をＰＬＬ同期回路を用いてクロマストライプを判定する回路がある。これらの回路は、弱電界によりランダムのパルスのノイズが混入すると、ＡＧＣパルスのエッジのカウントがコピーガード信号と偶然一致したり、バーストの位相が反転していると見なされ、クロマストライプと誤判定することが発生し、コピーガード信号検出の誤動作が起こる。
【０００８】
よって従来の技術では、弱電界信号を受信した場合ノイズによってコピーガード信号を誤検出するという課題がある。この弱電界下での誤検出による実際の機器としての不具合現象は、機器の仕様にもよるが、例えば本来不要なコピーガード信号が付加されたり、コピー禁止としてビデオ出力が出なくなったりミュートされたり、あるいはコピーガード信号付きの表示が現れでしまう不具合を引き起こしてしまう。
【０００９】
本発明は上記課題を解決するもので、地上波アナログ放送を受信できる機器において、アナログ放送での弱電界信号を受信してコピーガード信号検出が誤動作する状況下であれば、同期処理回路の判定結果によって弱電界の検出を行い、コピーガード信号検出結果を無効にして、不具合の無いコピーガード信号検出機能付き映像処理回路を提供することを目的とする。
【００１０】
【課題を解決するための手段】
本発明のコピーガード信号検出機能付き映像処理回路は、テレビのＲＦ信号からアナログビデオ信号を受信するアナログチューナーと、アナログビデオ信号を選択するビデオスイッチと、アナログビデオ信号をアナログからデジタル値に変換するＡ／Ｄコンバーターと、ＮＴＳＣやＰＡＬの信号を色差信号やＲＧＢ信号にデコードするクロマデコーダーと、コピーガード信号を検出するコピーガードデコーダーと、そのコピーガードデコーダーからのコピーガード信号検出情報が確実で無い時にコピーガード信号が無効とみなす手段と、垂直、インターレス、水平、クロマなどの信号をそれぞれＰＬＬ回路で同期を取り、ＰＬＬの同期外れ判定を行うことが出来るシンクプロセッサーと、シンクプロセッサーからの各種ＰＬＬの同期外れ判定信号を用いて弱電界の条件を判定し弱電界時にコピーガード信号検出情報が無効と出力する弱電界判定手段と、デジタルビデオ信号からコピーガード情報に基づいて映像信号を出力するビデオデコーダー／フォーマッターから構成される。
【００１１】
従来の技術と異なる点は、ＰＬＬ同期処理回路で得られる次の各種同期判定信号、インターレス、垂直、水平、クロマの各種同期判定信号を得るシステムとする。これらの同期信号の判定が外れていないかを常にマイコン等の手段で監視し、これらの信号が、ある一定時間において一定回数外れた場合、コピーガード信号の検出結果を無効と判定し、コピーガード信号の付加を禁止できる手段を具備したことである。
【００１２】
従って本発明のコピーガード信号検出機能付き映像処理回路は、弱電界信号を受信した場合ノイズによるコピーガード信号を誤検出しない機器を提供することが出来る。
【００１３】
【発明の実施の形態】
以下、本発明の一実施の形態におけるデジタル放送受信機について図１、図２に基づいて説明する。
【００１４】
（実施の形態１）
図１は本発明の請求項２におけるコピーガード信号検出機能付き映像処理回路を示し、図３に示した従来例と異なる点は、コピーガードデコーダーからのコピーガード信号検出情報が確実で無い時にコピーガード信号が無効とみなす手段５０７と、垂直、インターレス、水平、クロマなどの信号をそれぞれＰＬＬ回路で同期を取り、ＰＬＬの同期外れ判定を行うことが出来るシンクプロセッサー５０６と、シンクプロセッサーからの各種ＰＬＬの同期外れ判定信号を用いて弱電界の条件を判定し弱電界時にコピーガード信号検出情報が無効と出力する弱電界判定手段５０８とを具備したことである。
【００１５】
このため、アナログ放送でのコピーガード信号検出の誤動作が起こる電界レベルに達する直前に、上記弱電界判定手段により弱電界を検出することが出来る。この弱電界を検出した時には、上記コピーガード信号が無いとみなす手段によってコピーガードデコーダーからのコピーガード信号検出情報が無効と判断し、コピーガード信号情報がないとみなす。この場合は、コピーガード信号検出情報がビデオデコーダー／フォーマッター５０９に入力されないので、ビデオ出力にコピーガード信号は付加されない。よって、弱電界信号を受信した場合ノイズによるコピーガード信号を誤検出しないコピーガード信号検出機能付き映像処理回路を実現できる。
【００１６】
（実施の形態２）
図２は本発明の請求項３におけるコピーガード信号検出機能付き映像処理回路を示し、実施の形態１に示した実施例と異なる点は、アナログチューナー５０１内のＲＦ-ＡＧＣの電圧情報を弱電界判定手段５０８へ渡したことである。
【００１７】
ＲＦ−ＡＧＣの電圧は一般に強電界でＡＧＣアンプのゲインを下げるので強電界ほどＡＧＣ電圧はさがるが、逆に７０ｄＢｕ以下の中電界や弱電界では、ＡＧＣアンプが常にフルゲインで動作するためＡＧＣ電圧は常に高くＡＧＣ電圧の変化はない。そこで、ＡＧＣ電圧が低くなっていくポイントを用いると、強電界を検出することが出来る。弱電界判定手段５０８は、実施の形態１で説明したようにＰＬＬ同期の同期外れ判定を検出したものであり、弱電界そのものを検出している訳ではないので、強電界時であっても非標準信号が入力される等があった場合、何れかのＰＬＬが外れ、弱電界と判定することが無いとも言いきれない。そこで、ＡＧＣ電圧が低い強電界時に、弱電界判定を行わない動作を行うと弱電界判定手段５０８の弱電界検出精度が高まり、実施の形態１よりも正確なコピーガード信号検出機能付き映像処理回路を実現できる。
【００１８】
【発明の効果】
以上のようにコピーガード信号検出機能付き映像処理回路によれば、アナログ放送を受信できる機器において、弱電界信号を受信した場合ノイズによるコピーガード信号を誤検出しない映像処理回路を実現できる。
【図面の簡単な説明】
【図１】本発明の実施の形態１におけるコピーガード信号検出機能付き映像処理回路を示す図
【図２】本発明の実施の形態２におけるコピーガード信号検出機能付き映像処理回路を示す図
【図３】従来の技術のコピーガード信号検出機能付き映像処理回路を示す図
【符号の説明】
５０１  アナログチューナー
５０２  ビデオスイッチ
５０３  Ａ／Ｄコンバーター
５０４  クロマデコーダー
５０５  コピーガードデコーダー
５０６  シンクプロセッサー
５０７  コピーガード信号が無効とみなす手段
５０８  弱電界判定手段
５０９  ビデオデコーダー／フォーマッター
【図１】
0004396062.tif 000002
【図２】
0004396062.tif 000003
【図３】
0004396062.tif 000004